(57)【要約】【課題】装置構成のシンプル化及び省スペース化を図ることができ、また、設備導入コスト、及び、ランニングコストを大幅に抑えることができるディスク型遠心分離機を提供する。【解決手段】シール機構部１１に高圧で供給されるシール水として清浄水を使用し、シール水が貯留されているシール水タンク１３とシール機構部１１とを接続する循環経路上にポンプ１４が配置され、このポンプ１４によってシール水タンク１３とシール機構部１１との間でシール水（清浄水）が循環するように構成され、ポンプ１４が、回転軸４及びボウル９に駆動力を供給するモータ５の駆動軸６に接続され、モータ５の駆動力を受けてポンプ１４が稼働するように構成した。【選択図】図１
2019107622.tif 000002
【特許請求の範囲】
【請求項１】
ケーシング内にボウルが配置され、ボウルの内部に円錐形状の分離ディスクが所定間隔をおいて多数枚積み重ねられた状態で配置され、垂直に保持された回転軸の先端がケーシングを貫通してケーシング内のボウルに固定され、回転軸がケーシングを貫通する部分にシール機構部が配置され、回転軸及びその上端に固定されたボウルを高速回転させることにより、ボウル内に導入した処理物を遠心力によって分離し、個別に排出できるように構成されたディスク型遠心分離機において、
シール機構部に高圧で供給されるシール水として清浄水が使用され、
シール水が貯留されているシール水タンクとシール機構部とを接続する循環経路上にポンプが配置され、このポンプによってシール水タンクとシール機構部との間でシール水が循環するように構成され、
ポンプが、回転軸及びボウルに駆動力を供給するモータの駆動軸に接続され、このモータの駆動力を受けてポンプが稼働するように構成されていることを特徴とするディスク型遠心分離機。
【請求項２】
シール水タンクに浄化装置が付設され、循環するシール水が所定の清浄度に維持されることを特徴とする、請求項１に記載のディスク型遠心分離機。
【請求項３】
ポンプと、これに駆動力を供給するモータの駆動軸とが、マグネットドライブ方式で動力的に接続されていることを特徴とする、請求項１又は２に記載のディスク型遠心分離機。
【請求項４】
ボウル内から固形分を排出する際に弁体を開閉させるための作動水をボウルに供給する給水装置、及び、作動水を貯留し、給水装置へ供給する作動水タンクを有し、
シール水の漏出が生じた場合に、作動水タンクからシール水タンクへ水の補給が行われるように構成されていることを特徴とする、請求項１〜３のいずれかに記載のディスク型遠心分離機。
【請求項５】
作動水タンク内に貯留されている作動水と、シール水タンク内のシール水との間で熱交換が行われ、シール水が作動水によって冷却されるように構成されていることを特徴とする、請求項４に記載のディスク型遠心分離機。
【請求項６】
シール水タンクの外側に外殻部を設け、シール水タンクと外殻部との間の領域に冷却媒体を流入させることにより、シール水タンク、及び、その内側に貯留されているシール水を冷却できるように構成されていることを特徴とする、請求項１〜４のいずれかに記載のディスク型遠心分離機。
【請求項７】
シール水タンクに温度センサーが設置され、水温が規定値を超えた場合に、シール水タンク内から規定量のシール水が廃棄されるとともに、シール水タンク内へ新たに水が補給されるように構成されていることを特徴とする、請求項１〜６のいずれかに記載のディスク型遠心分離機。
【発明の詳細な説明】
【技術分野】
【０００１】
本発明は、円錐形状の分離ディスクを多数枚重ねてボウル内に配置し、これらを高速回転させて処理物の分離を行うように構成されたディスク型遠心分離機に関する。
【背景技術】
【０００２】
遠心力を利用して処理物を分離する遠心分離機の一つとして、円錐形状の分離ディスクを多数枚積み重ねてボウル内に配置し、これらを高速回転させて処理物に遠心力を作用させる遠心分離機（ディスク型遠心分離機）が知られている。このディスク型遠心分離機は、僅かな間隔をおいて多数枚の分離ディスクを積み重ねることにより、据付面積に対し極めて大きな分離沈降面積を確保することができ、大量の処理物の分離処理を短時間で行うことができる。
【０００３】
従来のディスク型遠心分離機には、回転軸が垂直に保持され、処理物の分離を行うボウルが垂直軸線周りに高速回転するように構成され、ボウルが配置されているケーシング内の空間と回転軸を支持するフレームとの間が、メカニカルシール機構によって軸封され、ケーシング内空間へ雑菌や異物が進入し、或いは、ケーシング内空間から処理物（分離された固形分等）が漏出することを回避できるように構成されたものがある（例えば、特許文献１）。
【０００４】
より詳細には、特許文献１に示されているメカニカルシール機構は、回転軸に固定される回転環、回転軸に接触しないように保持される固定環、及び、密封ハウジング等によって構成され、密封ハウジングによって密封される領域（回転環、固定環、及び、密封ハウジングによって囲まれた小室内の空間）に、シール水（エクスターナル流体）が、供給路から定量的に流入すると同時に、反対側の排出路から同量のシール水が流出するようになっており、排出側の圧力を調整することにより、この密封ハウジングの小室内がケーシング内よりも高い圧力に維持され、高いシール性能を発揮できるように構成されている。
【先行技術文献】
【特許文献】
【０００５】
【特許文献１】特公平６−４９１６４号公報
【発明の概要】
【発明が解決しようとする課題】
【０００６】
特許文献１に示されているシール機構においては、シール水を媒体としたケーシング内空間への雑菌や異物の進入を防止するため、シール水として純水が使用されており、また、密封ハウジングの小室から排出された純水は、再利用されることなくそのまま廃棄されていたが、この場合、ディスク型遠心分離機の運転中、純水を大量に（５〜６Ｌ／ｍｉｎ）、かつ、継続的に供給する手段（大型の純水製造装置等）を併設する必要がある。このため、純水製造装置等の設置スペースを確保しなければならないという問題があり、また、設備導入時のコスト、及び、ランニングコストが嵩んでしまうという問題がある。
【０００７】
本発明は、このような従来技術における問題を解決しようとするものであって、装置構成のシンプル化及び省スペース化を図ることができ、また、設備導入コスト及びランニングコストを大幅に抑えることができるディスク型遠心分離機を提供することを目的とする。
【課題を解決するための手段】
【０００８】
本発明に係るディスク型遠心分離機は、ケーシング内にボウルが配置され、ボウルの内部に円錐形状の分離ディスクが所定間隔をおいて多数枚積み重ねられた状態で配置され、垂直に保持された回転軸の先端がケーシングを貫通してケーシング内のボウルに固定され、回転軸がケーシングを貫通する部分にシール機構部が配置され、回転軸及びその上端に固定されたボウルを高速回転させることにより、ボウル内に導入した処理物を遠心力によって分離し、個別に排出できるように構成され、シール機構部に高圧で供給されるシール水として清浄水が使用され、シール水が貯留されているシール水タンクとシール機構部とを接続する循環経路上にポンプが配置され、このポンプによってシール水タンクとシール機構部との間でシール水が循環するように構成され、ポンプが、回転軸及びボウルに駆動力を供給するモータの駆動軸に接続され、モータの駆動力を受けてポンプが稼働する（ポンプ室内のインペラが回転する）ように構成されていることを特徴としている。
【０００９】
尚、シール水タンクに浄化装置（簡易的なフィルタ等、例えば、Ｙ型ストレーナ）が付設され、循環するシール水が所定の清浄度に維持されることが好ましく、また、ポンプと、これに駆動力を供給するモータの駆動軸とが、マグネットドライブ方式で動力的に接続されていることが好ましい。
【００１０】
また、ボウル内から固形分を排出する際に弁体を開閉させるための作動水をボウルに供給する給水装置、及び、作動水を貯留し、給水装置へ供給する作動水タンクを有し、シール水の漏出が生じた場合に、作動水タンクからシール水タンクへ水の補給が行われるように構成されていることが好ましく、更に、作動水タンク内に貯留されている作動水と、シール水タンク内のシール水との間で熱交換が行われ、シール水が作動水によって冷却されるように構成されていることが好ましい。
【００１１】
更に、シール水タンクの外側に外殻部を設け、シール水タンクと外殻部との間の領域に冷却媒体（高圧空気が望ましい）を流入させることにより、シール水タンク、及び、その内側に貯留されているシール水を冷却できるように構成することもでき、或いは、シール水タンクに温度センサーが設置され、水温が規定値を超えた場合に、シール水タンク内から規定量のシール水が廃棄されるとともに、作動水タンク或いは他の供給源からシール水タンク内へ水が補給されるように構成することもできる。
【発明の効果】
【００１２】
本発明に係るディスク型遠心分離機は、シール水タンクとシール機構部との間でシール水が循環するように構成されているため、純水製造装置等を併設する必要が無く、装置構成のシンプル化、省スペース化を図ることができるほか、設備導入コスト及びランニングコストを大幅に抑えることができる。また、シール水を循環させるポンプが、回転軸及びボウルに駆動力を供給するモータの駆動軸に接続され、モータの駆動力を受けてポンプ室内のインペラが回転するように構成されているため、ポンプを稼働させるための駆動力源を個別に用意する必要が無く、装置構成のシンプル化に寄与する。
【００１３】
また、ポンプ室内のインペラと、インペラに駆動力を供給するモータの駆動軸とをマグネットドライブ方式で動力的に接続した場合には、軸封部に起因するシール水の汚染や、軸封部からのシール水の漏出を好適に回避することができる。更に、シール機構部等からシール水の漏出が生じた場合に、作動水タンクからシール水タンクへ水の補給が行われるように構成した場合には、シール水タンク内の水位を一定範囲内でコントロールすることができ、また、作動水タンク内に貯留されている作動水と、シール水タンク内のシール水との間で熱交換が行われるように構成した場合や、シール水タンクと外殻部との間の領域に冷却媒体を供給できるように構成した場合には、ケーシング側からの受熱によるシール水の温度上昇を好適に抑制することができる。
【図面の簡単な説明】
【００１４】
【図１】図１は、本発明に係るディスク型遠心分離機１の構成を模式的に示す図である。
【図２】図２は、図１に模式的に示されるシール機構部１１の部分断面図である。
【図３】図３は、本発明に係るディスク型遠心分離機１において用いられるシール水タンク１３の他の構成例を示す断面図である。
【発明を実施するための形態】
【００１５】
以下、添付図面に沿って、本発明「ディスク型遠心分離機」を実施するための形態について説明する。図１は、本発明に係るディスク型遠心分離機１の構成を模式的に示す図である。図示されているようにこのディスク型遠心分離機１は、フレーム２に固定された上下の軸受け３ａ，３ｂによって、回転軸４が垂直に保持されている。
【００１６】
この垂直な回転軸４は、ギヤ７を介してモータ５の水平な駆動軸６（出力軸）と動力的に接続され、モータ５から供給される駆動力を受けて高速で回転するように構成されている。回転軸４の上部は、下側開口部からケーシング８内部へ進入し、ケーシング８内のボウル９に固定されている。尚、軸受け３ａ，３ｂ、回転軸４の下部、駆動軸６、及び、ギヤ７は、オイルボックス内に収容され、その内部に貯留されたオイル又はその飛沫によって跳ねかけ潤滑されるようになっている。
【００１７】
ボウル９の内部（分離室）には、円錐形状の分離ディスクが多数枚積み重ねられた状態で配置されており、回転軸４及びその上端に固定されたボウル９を高速回転させることにより、ボウル９内に導入した処理物を遠心力によって分離（液体と固形分とに、又は、軽液と重液とに、又は、軽液と重液と固形分とに分離）し、個別に排出することができる。
【００１８】
回転軸４が貫通するケーシング８の下側開口部の近傍位置には、給水装置１０とシール機構部１１が配置されている。給水装置１０は、ボウル９内から固形分を排出する際に弁体を開閉させるための作動水を、作動水タンク１２からボウル９に供給するためのものであり、作動水タンク１２から供給される高圧の作動水をボウル９に供給することによって弁体を瞬間的に開放させて、ボウル９内から固形分を排出できるように構成されている。尚、低圧の作動水（作動水タンク１２から減圧弁を経て供給される）を給水装置１０からボウル９に供給することによって弁体を閉鎖して（閉鎖する方向に押し付けて）、固形分がボウル９内から排出されないようシールすることができる。
【００１９】
給水装置１０からボウル９に供給された作動水は、弁体の作動時にボウル９から排出（消費）されることになり、作動水タンク１２内の水位が低下することになるが、水位が規定レベルを下回った場合、作動水タンク１２に設置されている水位センサーからの情報に応じて、供給源から水が作動水タンク１２内に適宜補給される。また、作動水を所定の圧力で供給できるように、作動水タンク１２内は、計装空気（圧縮空気）の供給によって加圧されている。
【００２０】
シール機構部１１は、ボウル９が配置されているケーシング８の内側と外側との間を軸封する、即ち、ケーシング８の下側開口部の内周面と回転軸４の外周面との隙間から、ケーシング８内空間へ雑菌や異物が進入し、或いは、ケーシング８内空間から処理物（分離された固形分等）が漏出することを回避するためのものである。
【００２１】
図２は、シール機構部１１の部分断面図である。図示されているようにこのシール機構部１１は、回転環１５（シールリング）、上下二つの固定環１６ａ，１６ｂ、及び、密封ハウジング１７からなるメカニカルシール機構によって構成されている。より詳細には、回転環１５は、回転軸４の外周面に固定され、回転軸４とともに回転するように構成され、固定環１６ａ，１６ｂはいずれも、回転軸４の外周面と接触しない位置において、回転軸４の軸線方向へ移動可能な状態で保持されている。
【００２２】
上方側の固定環１６ａは、図示しない付勢手段（ばね等）によって、下方側へ（回転環１５に向かって）付勢され、下方側の固定環１６ｂは、同様に上方側へ（回転環１５に向かって）付勢されており、回転軸４の軸線と直交する面（接触面Ｓ１，Ｓ２）において回転環１５に押圧され、摺動接触するように構成されている。
【００２３】
密封ハウジング１７は、回転環１５の外側の領域（接触面Ｓ１を境界として隔てられる二つの領域のうち、ケーシング８内側の領域とは反対側の領域）を密封するように構成されている。この密封ハウジング１７によって密封される領域（回転環１５、固定環１６ａ，１６ｂ、及び、密封ハウジング１７によって囲まれた小室１７ａ内の空間）には、密封ハウジング１７に形成された供給路１７ｂから、ケーシング８内の圧力よりも高い圧力でシール水（清浄水）が供給され、これにより、ケーシング８内空間への異物混入、及び、ケーシング８内空間からの処理物（分離された固形分等）の漏出を可及的に防止できるようになっている。
【００２４】
尚、ディスク型遠心分離機の回転軸をシールする従来のシール機構においては、上述の通り、シール水として純水が使用され、また、その純水は、使用後に（密封ハウジングの小室から排出された後で）そのまま廃棄されていたため、大型の純水製造装置等が必要となり、設置スペースの問題や、設備導入時のコスト及びランニングコストが嵩んでしまうという問題があったが、本実施形態のディスク型遠心分離機１においては、シール水として清浄水（浄化装置によって水道水等の原料水を所定のレベルまで清浄化した水）が使用され、図１に示すように、シール水タンク１３とシール機構部１１との間でシール水が循環するように構成されているため、純水製造装置等を併設する必要が無く、装置構成のシンプル化、省スペース化を図ることができるほか、設備導入コスト及びランニングコストを大幅に抑えることができる。
【００２５】
より具体的には、図１に示すように、シール水タンク１３とシール機構部１１とを接続する循環経路（閉鎖管路）上にポンプ１４が配置されており、このポンプ１４が稼働することにより、シール水タンク１３内に貯留されているシール水がシール機構部１１へ供給され、図２に示す供給路１７ｂから小室１７ａ内に流入するとともに、図示しない排出路から同量のシール水が流出し、シール機構部１１からシール水タンク１３に戻されて循環する。
【００２６】
尚、シール水タンク１３には、浄化装置（フィルター）が付設されており、循環するシール水が所定の清浄度に維持されるようになっている。また、ケーシング８内の圧力よりも高い圧力で小室１７ａ内にシール水を供給できるように、シール水タンク１３内は、計装空気（圧縮空気）の供給によって加圧されている。
【００２７】
シール水を循環させるポンプ１４は、回転軸４及びボウル９に駆動力を供給するモータ５の駆動軸６に接続されており、モータ５の駆動力を受けてポンプ室内のインペラが回転するように構成されている。尚、本実施形態において用いられているポンプ１４は、ポンプ室内のインペラと、インペラに駆動力を供給するモータ５の駆動軸６とが、マグネットドライブ方式で動力的に接続されている。
【００２８】
つまり、一般的なポンプは、ポンプ室内のインペラに駆動力を供給するドライブシャフトが、ポンプ室の外側から隔壁を貫通してインペラに接続されるとともに、ドライブシャフトの貫通部分が軸封される構造となっているが、本実施形態において用いられているポンプ１４には、ポンプ室の隔壁を貫通するドライブシャフトが存在せず、従ってドライブシャフトの軸封部も存在しないため、軸封部に起因するシール水の汚染や、外部へのシール水の漏出を好適に回避することができる。
【００２９】
尚、シール水は閉鎖管路内を循環するため、基本的には、シール水タンク１３内におけるシール水の水位は一定であるが、シール機構部１１等においてシール水が漏洩して、シール水タンク１３内の水位が規定レベルを下回った場合、シール水タンク１３に設置されている水位センサーからの情報に応じて、作動水タンク１２からシール水タンク１３へ水の補給が行われる。また、シール水は、シール機構部１１を通過する際に、ケーシング８側からの受熱によって昇温してしまう可能性があるが、本実施形態においては、作動水タンク１２内に貯留されている作動水と、シール水タンク１３内のシール水との間で熱交換が行われるように構成されており、シール水が冷却されるようになっている。
【００３０】
また、本実施形態においては、モータ５及び駆動軸６が水平に保持され、ギヤ７を介して、垂直な回転軸４にモータ５の駆動力が伝達されるように構成されるとともに、シール水を循環させるポンプ１４は、回転軸４及びボウル９に駆動力を供給するモータ５の駆動軸６に接続されており、モータ５の駆動力を受けてポンプ室内のインペラが回転するように構成されているが、モータ５及び駆動軸６が垂直に保持され、垂直な回転軸４と直結され（或いは、ギヤ駆動機構、ベルト駆動機構等を介して接続され）るとともに、ポンプ１４に接続されるように構成してもよい。
【００３１】
更に、本実施形態においては、作動水タンク１２内に貯留されている作動水と、シール水タンク１３内のシール水との間で熱交換が行われるように構成することによって、シール水が冷却されるようになっているが、図３に示すように、シール水タンク１３の下半部の外側に外殻部１８（冷却用ジャケット）を設け、冷却媒体（高圧空気等）を、冷媒導入口１８ａから、シール水タンク１３と外殻部１８との間の領域に流入させ、反対側の冷媒排出口１８ｂから排出させることにより、シール水タンク１３、及び、その内側に貯留されているシール水を冷却できるように構成してもよい。
【００３２】
尚、冷却媒体の供給源としては、渦動理論の原理を応用した簡易的な冷空気発生装置等を好適に利用することができ、この場合、作動水との間で熱交換を行ってシール水を冷却する場合（図１参照）よりも、設備導入時のコストを低減することができ、設置スペースを節約することができる。また、シール機構部１１等においてシール水が漏洩して、シール水タンク１３内の水位が規定レベルを下回った場合、シール水タンク１３に設置されている水位センサーからの情報に応じてアラーム（警報）が発せられるように構成することもでき、この場合、異常の発生を管理することができる。
【００３３】
また、シール水タンク１３に温度センサーを設置して水温を監視し、水温が規定値（例えば５０℃）を超えた場合に、シール水タンク１３内から規定量のシール水が廃棄されるとともに、作動水タンク１２（或いはその他の供給源）から水（冷水）が補給されるルーティンが自動的に実行されるように構成してもよい。この場合、シール水タンク１３には、温度センサーのほかに、レベルセンサー（高位用及び低位用）を設ける必要があり、上記実施形態よりもコストが嵩むことになるが、シール水の消費量を最小限に抑えることが可能となる。
【符号の説明】
【００３４】
１：ディスク型遠心分離機、
２：フレーム、
３ａ，３ｂ：軸受け、
４：回転軸、
５：モータ、
６：駆動軸、
７：ギヤ、
８：ケーシング、
９：ボウル、
１０：給水装置、
１１：シール機構部、
１２：作動水タンク、
１３：シール水タンク、
１４：ポンプ、
１５：回転環、
１６ａ，１６ｂ：固定環、
１７：密封ハウジング、
１７ａ：小室、
１７ｂ：供給路、
１８：外殻部、
１８ａ：冷媒導入口、
１８ｂ：冷媒排出口、
Ｓ１，Ｓ２：接触面
【図１】
2019107622.tif 000003
【図２】
2019107622.tif 000004
【図３】
2019107622.tif 000005